(57)【要約】      （修正有）【課題】小さいチャネル帯域幅を有する電子装置を通じても、高画質の映像を表示することができる大型ディスプレイ装置を提供する。【解決手段】モジューラディスプレイ装置に接続されるインターフェース２１０と、映像信号をインターフェース２１０を通じて接続されたモジューラディスプレイ装置に伝送するプロセッサ２２０とを含み、プロセッサ２２０は、モジューラディスプレイ装置に含まれた複数のディスプレイモジュールを垂直方向を基準に複数のグループに区分し、映像信号を複数のグループのそれぞれに対応する映像信号に分割し、分割された映像信号を複数のグループのそれぞれに伝送する。【選択図】図２
2019219657.tif 000002
【特許請求の範囲】
【請求項１】
電子装置において、
モジューラディスプレイ装置に接続されるインターフェースと、
前記モジューラディスプレイ装置に含まれた複数のディスプレイモジュールを垂直方向を基準に複数のグループに区分し、映像信号を前記複数のグループに対応する複数の映像信号に分割し、前記分割された複数の映像信号を前記複数のグループに伝送するプロセッサと
を含む電子装置。
【請求項２】
前記インターフェースは、
前記モジューラディスプレイ装置に接続される複数のポートを含み、
前記プロセッサは、
前記モジューラディスプレイ装置に接続された複数のポートの数に基づいて、前記複数のディスプレイモジュールを前記複数のグループに区分し、前記複数のポートを通じて、前記分割された複数の映像信号を前記複数のグループに伝送することを特徴とする請求項１に記載の電子装置。
【請求項３】
前記複数のポートは、
前記複数のグループに属するディスプレイモジュールのうち、外郭に位置する複数のディスプレイモジュールに接続され、
前記プロセッサは、
前記複数のポートを通じて、前記分割された複数の映像信号を前記外郭に位置する複数のディスプレイモジュールに伝送することを特徴とする請求項２に記載の電子装置。
【請求項４】
前記プロセッサは、
前記複数のポートのうち少なくとも一つに新たなグループが接続される場合、前記新たに接続されたグループを更に考慮して前記映像信号を分割することを特徴とする請求項２に記載の電子装置。
【請求項５】
前記複数の映像信号に分割する前の映像信号は、第１チャネル帯域幅に対応する映像信号であり、
前記インターフェースのチャネル帯域幅は、前記第１チャネル帯域幅より小さい第２チャネル帯域幅に対応し、
前記プロセッサは、
前記第１チャネル帯域幅に対応する映像信号を前記第２チャネル帯域幅に対応するように分割し、前記分割された複数の映像信号を前記複数のグループに伝送することを特徴とする請求項１に記載の電子装置。
【請求項６】
前記プロセッサは、
前記分割された複数のグループに対応する複数の映像信号を行単位でエンコーディングし、前記複数のグループに前記エンコーディングされた映像信号を順次に伝送することを特徴とする請求項１に記載の電子装置。
【請求項７】
前記プロセッサは、
前記分割された複数の映像信号に垂直同期化を行い、前記垂直同期化された映像信号を前記複数のグループに伝送することを特徴とする請求項１に記載の電子装置。
【請求項８】
前記プロセッサは、
前記複数のグループに対応する複数の映像信号の画質に対する情報を含むメタデータを生成し、前記メタデータを前記分割された複数の映像信号とともに前記複数のグループに伝送し、
前記分割された複数の映像信号の画質は、前記分割する前の映像信号の画質を同一であることを特徴とする請求項７に記載の電子装置。
【請求項９】
電子装置の制御方法において、
モジューラディスプレイ装置に含まれた複数のディスプレイモジュールを垂直方向を基準に複数のグループに区分するステップと、
映像信号を前記複数のグループに対応する複数の映像信号に分割するステップと、
前記分割された複数の映像信号を前記複数のグループに伝送するステップと
を含む電子装置の制御方法。
【請求項１０】
前記伝送するステップは、
前記モジューラディスプレイ装置に接続された複数のポートの数に基づいて、前記複数のディスプレイモジュールを前記複数のグループに区分し、前記複数のポートを通じて、前記分割された複数の映像信号を前記複数のグループに伝送することを特徴とする請求項９に記載の電子装置の制御方法。
【請求項１１】
前記複数のポートは、
前記複数のグループに属するディスプレイモジュールのうち、外郭に位置する複数のディスプレイモジュールに接続され、
前記伝送するステップは、
前記複数のポートを通じて、前記分割された複数の映像信号を前記外郭に位置するディスプレイモジュールに伝送することを特徴とする請求項１０に記載の電子装置の制御方法。
【請求項１２】
前記分割するステップは、
前記複数のポートのうち少なくとも一つに新たなグループが接続される場合、前記新たに接続されたグループを更に考慮して前記映像信号を分割することを特徴とする請求項１０に記載の電子装置の制御方法。
【請求項１３】
前記複数の映像信号に分割する前の映像信号は、第１チャネル帯域幅に対応する映像信号であり、
前記電気装置のチャネル帯域幅は、前記第１チャネル帯域幅より小さい第２チャネル帯域幅に対応し、
前記伝送するステップは、
前記第１チャネル帯域幅に対応する映像信号を前記第２チャネル帯域幅に対応するように分割し、前記分割された複数の映像信号を前記複数のグループに伝送することを特徴とする請求項９に記載の電子装置の制御方法。
【請求項１４】
前記伝送するステップは、
前記分割された複数のグループに対応する複数の映像信号を行単位でエンコーディングし、前記複数のグループに前記エンコーディングされた複数の映像信号を順次に伝送することを特徴とする請求項９に記載の電子装置の制御方法。
【請求項１５】
前記伝送するステップは、
前記分割された複数の映像信号に垂直同期化（Ｖ−ｓｙｎｃ）を行い、前記垂直同期化された映像信号を前記複数のグループに伝送することを特徴とする請求項９に記載の電子装置の制御方法。
【発明の詳細な説明】
【技術分野】
【０００１】
本発明は、電子装置及びその制御方法に関し、より詳細には、ディスプレイ装置に映像信号を伝送する電子装置及びその制御方法に関する。
【背景技術】
【０００２】
近来、電子技術の発達により、消費者のニーズに応じるための多様な電子装置が開発されている。特に、最近は、複数のディスプレイモジュールを接続した大型ディスプレイ装置が開発されている。
【０００３】
このような大型ディスプレイ装置は、一角に配置されたディスプレイモジュールのインターフェースを通じて外部電子装置から映像信号を受信し、受信された映像信号を隣接する別のディスプレイモジュールに順次に伝送する方式を通じて映像を提供していた。
【０００４】
例えば、上側に第１及び第２ディスプレイモジュールが左から右に配置され、下側に第３及び第４ディスプレイモジュールが左から右に配置された２×２配列の大型ディスプレイ装置の場合、第１ディスプレイモジュールは外部電子装置から受信された映像信号を隣接する第２ディスプレイモジュールに伝送し、第２ディスプレイモジュールは第１ディスプレイモジュールから受信された映像信号を第４ディスプレイモジュールに伝送し、第４ディスプレイモジュールは第２ディスプレイモジュールから受信された映像信号を第３ディスプレイモジュールに伝送する方式を通じて映像を提供していた。
【０００５】
しかし、このように大型ディスプレイ装置が一つのインターフェースを通じて外部電子装置と接続される場合、外部電子装置は４ｋ映像または８ｋ映像のような高画質の映像を伝送するために、十分な大きさのチャネル帯域幅を有するインターフェースを備えなければならない。
【０００６】
ところが、大型ディスプレイ装置に映像を伝送する従来のセットトップボックスのような外部電子装置のインターフェースは、高画質の映像信号を伝送することができる十分な大きさのチャネル帯域幅を有していないという問題があった。
【先行技術文献】
【特許文献】
【０００７】
【特許文献１】韓国公開特許第１０-２００４-０００５６６５号公報
【発明の概要】
【発明が解決しようとする課題】
【０００８】
そこで、本発明は、上記問題に鑑みてなされたものであり、本発明の目的とするところは、小さいチャネル帯域幅を有する電子装置を通じても、大型ディスプレイ装置が高画質の映像を表示することができるようにすることにある。
【課題を解決するための手段】
【０００９】
前記目的を達成するための本発明の一実施形態に係る電子装置は、モジューラディスプレイ装置に接続されるインターフェースと、前記モジューラディスプレイ装置に含まれた複数のディスプレイモジュールを垂直方向を基準に複数のグループに区分し、映像信号を前記複数のグループに対応する複数の映像信号に分割し、前記分割された複数の映像信号を前記複数のグループに伝送するプロセッサとを含む。
【００１０】
そして、前記インターフェースは、前記モジューラディスプレイ装置に接続される複数のポートを含み、前記プロセッサは、前記モジューラディスプレイ装置に接続された複数のポートの数に基づいて、前記複数のディスプレイモジュールを前記複数のグループに区分し、前記複数のポートを通じて、前記分割された複数の映像信号を前記複数のグループに伝送してよい。
【００１１】
そして、前記複数のポートは、前記複数のグループに属するディスプレイモジュールのうち、外郭に位置する複数のディスプレイモジュールに接続され、前記プロセッサは、前記複数のポートを通じて、前記分割された複数の映像信号を前記外郭に位置する複数のディスプレイモジュールに伝送してよい。
【００１２】
そして、前記プロセッサは、前記複数のポートのうち少なくとも一つに新たなグループが接続される場合、前記新たに接続されたグループを更に考慮して前記映像信号を分割してよい。
【００１３】
そして、前記複数の映像信号に分割する前の映像信号は、第１チャネル帯域幅に対応する映像信号であり、前記インターフェースのチャネル帯域幅は、前記第１チャネル帯域幅より小さい第２チャネル帯域幅に対応し、前記プロセッサは、前記第１チャネル帯域幅に対応する映像信号を前記第２チャネル帯域幅に対応するように分割し、前記分割された複数の映像信号を前記複数のグループに伝送してよい。
【００１４】
そして、前記プロセッサは、前記分割された複数のグループに対応する複数の映像信号を行単位でエンコーディングし、前記複数のグループに前記エンコーディングされた映像信号を順次に伝送してよい。
【００１５】
そして、前記プロセッサは、前記分割された複数の映像信号に垂直同期化を行い、前記垂直同期化された映像信号を前記複数のグループに伝送してよい。
【００１６】
そして、前記プロセッサは、前記複数のグループに対応する複数の映像信号の画質に対する情報を含むメタデータを生成し、前記メタデータを前記分割された複数の映像信号とともに前記複数のグループに伝送し、前記分割された複数の映像信号の画質は、前記分割する前の映像信号の画質を同一であってよい。
【００１７】
一方、本発明の一実施形態に係る電子装置の制御方法は、モジューラディスプレイ装置に含まれた複数のディスプレイモジュールを垂直方向を基準に複数のグループに区分するステップと、映像信号を前記複数のグループに対応する複数の映像信号に分割するステップと、前記分割された複数の映像信号を前記複数のグループに伝送するステップとを含む。
【００１８】
そして、前記伝送するステップは、前記モジューラディスプレイ装置に接続された複数のポートの数に基づいて、前記複数のディスプレイモジュールを前記複数のグループに区分し、前記複数のポートを通じて、前記分割された複数の映像信号を前記複数のグループに伝送してよい。
【００１９】
そして、前記複数のポートは、前記複数のグループに属するディスプレイモジュールのうち、外郭に位置する複数のディスプレイモジュールに接続され、前記伝送するステップは、前記複数のポートを通じて、前記分割された複数の映像信号を前記外郭に位置する複数のディスプレイモジュールに伝送してよい。
【００２０】
そして、前記分割するステップは、前記複数のポートのうち少なくとも一つに新たなグループが接続される場合、前記新たに接続されたグループを更に考慮して前記映像信号を分割してよい。
【００２１】
そして、前記複数の映像信号に分割する前の映像信号は、第１チャネル帯域幅に対応する映像信号であり、前記電気装置のチャネル帯域幅は、前記第１チャネル帯域幅より小さい第２チャネル帯域幅に対応し、前記伝送するステップは、前記第１チャネル帯域幅に対応する映像信号を前記第２チャネル帯域幅に対応するように分割し、前記分割された複数の映像信号を前記複数のグループに伝送してよい。
【００２２】
そして、前記伝送するステップは、前記分割された複数のグループに対応する複数の映像信号を行単位でエンコーディングし、前記複数のグループに前記エンコーディングされた映像信号を順次に伝送してよい。
【００２３】
そして、前記伝送するステップは、前記分割された複数の映像信号に垂直同期化（Ｖ−ｓｙｎｃ）を行い、前記垂直同期化された映像信号を前記複数のグループに伝送してよい。
【００２４】
そして、前記伝送するステップは、前記複数のグループに対応する映像信号の画質に対する情報を含むメタデータを生成し、前記メタデータを前記分割された複数の映像信号とともに前記複数のグループに伝送し、前記分割された複数の映像信号の画質は、前記分割する前の映像信号の画質を同一であってよい。
【００２５】
一方、本発明の一実施形態に係るコンピュータ読み取り可能な保存媒体は、電子装置のプロセッサによって実行される際、前記電子装置は、モジューラディスプレイ装置に含まれた複数のディスプレイモジュールを垂直方向を基準に複数のグループに区分するステップと、映像信号を前記複数のグループに対応する複数の映像信号に分割するステップと、前記分割された複数の映像信号を前記複数のグループに伝送するステップとを含む制御方法を行わせるコンピュータ実行可能命令語（Ｃｏｍｐｕｔｅｒ  Ｅｘｅｃｕｔａｂｌｅ  Ｉｎｓｔｒｕｃｔｉｏｎｓ）を保存してよい。
【発明の効果】
【００２６】
以上説明したように、本発明によれば、低仕様のインターフェースを有する電子装置を通じてでも高画質の映像を提供することができるようになる。
【図面の簡単な説明】
【００２７】
【図１Ａ】本発明の一実施形態に係るディスプレイ装置を説明するための図である。
【図１Ｂ】本発明の一実施形態に係るディスプレイ装置を説明するための図である。
【図１Ｃ】本発明の一実施形態に係るディスプレイ装置を説明するための図である。
【図２】本発明の一実施形態に係る電子装置を説明するためのブロック図である。
【図３】本発明の一実施形態に係る電子装置に複数のディスプレイ装置が接続される場合の動作を説明するための図である。
【図４】本発明の一実施形態に係る電子装置が映像信号を複数のグループのそれぞれに伝送する動作を説明するための図である。
【図５】本発明の一実施形態に係るモジューラディスプレイ装置の信号処理方法を説明するための図である。
【図６】本発明の一実施形態に係るモジューラディスプレイ装置に新たなディスプレイ装置が接続された場合に電子装置の動作を説明するための図である。
【図７】本発明の一実施形態に係る電子装置の動作を説明するためのフローチャートである。
【発明を実施するための形態】
【００２８】
まず、本明細書及び請求範囲で使用される用語は、本発明の機能を考慮して一般的な用語を選択している。しかし、このような用語は、当分野に従事する技術者の意図や、法律的または技術的解釈及び新たな技術の出現などによって異なることがある。なお、一部の用語は、出願人が任意に選定した用語もある。このような用語に対しては、本明細書で定義された意味で解釈されてよく、具体的な用語の定義がない場合、本明細書の内容全般及び当該技術分野の通常の技術常識に基づいて解釈されてよい。
【００２９】
なお、本発明を説明するうえで、関連の公知機能或いは構成に対する具体的な説明が、本発明の要素を不要に曖昧にすると判断される場合は、それに対する詳細な説明は縮約するか省略する。
【００３０】
更に、以下の添付図面及び添付図面に記載された内容を参照し、本発明の実施形態を詳細に説明しているが、本発明が実施形態によって制限されたり限定されるものではない。
【００３１】
以下、添付の図を参照し、本発明について詳細に説明する。
【００３２】
図１Ａないし図１Ｃは、本発明の一実施形態に係るディスプレイ装置を説明するための図である。
【００３３】
図１Ａを参照すると、本発明の一実施形態に係るディスプレイ装置１００は、キャビネット１１０及びキャビネットに配置される複数のディスプレイモジュール１２０−１、１２０−２、１２０−３を含んでよい。即ち、ディスプレイ装置１００は、複数のディスプレイモジュール１２０−１、１２０−２、１２０−３を物理的に接続したモジューラディスプレイ装置で実現されてよい。
【００３４】
ここで、複数のディスプレイモジュール１２０−１、１２０−２、１２０−３のそれぞれは、発光素子（Ｌｉｇｈｔ  Ｅｍｉｔｔｉｎｇ  Ｄｉｏｄｅ：ＬＥＤ）を含むＬＥＤディスプレイモジュールで実現されてよい。
【００３５】
具体的に、図１Ｂを参照すると、複数のディスプレイモジュール１２０−１、１２０−２、１２０−３のそれぞれは、サブピクセルであるレッドＬＥＤ、グリーンＬＥＤ及びブルーＬＥＤを一つのピクセルで実現したＬＥＤ１２１を複数含むＬＥＤディスプレイモジュールで実現されてよい。
【００３６】
ここで、複数のピクセルは、マトリックス形状（例えば、Ｍ×Ｎ、ここでＭ、Ｎは自然数）で配列されてよい。具体的に、マトリックスは、同一配列（例えば、Ｍ＝Ｎ、ここでＭ、Ｎは自然数、１６×１６配列、２４×２４配列など）状になってよく、別の配列（例えば、Ｍ≠Ｎ、ここで、Ｍ、Ｎは自然数）状になってよい。
【００３７】
一方、本発明の一実施形態に係るＬＥＤディスプレイモジュールのＬＥＤは、マイクロＬＥＤで実現されてよい。ここで、マイクロＬＥＤは、約５〜１００マイクロメータサイズのＬＥＤとして、カラーフィルタなしに自ら光を発する超小型発光素子を意味する。
【００３８】
ただ、このようなＬＥＤディスプレイモジュールは一実施形態に過ぎず、ディスプレイモジュールは、ＯＬＥＤ（Ｏｒｇａｎｉｃ  ＬＥＤ）、ＡＭＯＬＥＤ（Ａｃｔｉｖｅ−Ｍａｔｒｉｘ  ＯＬＥＤ）、ＰＤＰ（Ｐｌａｓｍａ  Ｄｉｓｐｌａｙ  Ｐａｎｅｌ）などで実現されてよい。以下では、説明の便宜のために、本発明の一実施形態に係るディスプレイモジュールは、ＬＥＤディスプレイモジュールであることを想定して説明する。
【００３９】
また、図１Ａを参照すると、本発明の一実施形態に係るディスプレイ装置１００は、複数のディスプレイモジュール１２０−１、１２０−２、１２０−３が１×３の配列で結合された形状で実現されてよい。即ち、一つのキャビネット１１０に含まれた複数のディスプレイモジュールは、垂直方向に配列されてよい。
【００４０】
一方、ここで、１×３配列のＬＥＤディスプレイモジュールは一実施形態に過ぎず、ＬＥＤディスプレイモジュールの配列形状及び数は多様に変更されてよい。
【００４１】
キャビネット１１０は、複数のディスプレイモジュール１２０−１、１２０−２、１２０−３のそれぞれを装着できるベースプレート（図示せず）を含んでよい。ここで、ベースプレート（図示せず）は、各ディスプレイモジュールがベースプレートの前面に装着できる形で実現されてよい。それにより、本発明の一実施形態に係るディスプレイ装置１００は、ベゼルのない形態で実現されてよく、映像をディスプレイするうえでディスプレイモジュール間で途絶えることないシームレスな映像を表示することができる。
【００４２】
一方、本発明の一実施形態に係るディスプレイ装置１００は、別のディスプレイ装置と結合できる複数の結合部１３０−１、１３０−２を含んでよい。それにより、本発明の一実施形態に係るディスプレイ装置１００は、別のディスプレイ装置の結合を通じて大型ディスプレイ装置で実現することができる。
【００４３】
例えば、図１Ｃを参照すると、本発明の一実施形態に係るディスプレイ装置１００は、複数の別のディスプレイ装置１００−１、１００−２、１００−３と４×１で結合されることで、ビデオウォール（Ｖｉｄｅｏ  Ｗａｌｌ）のような大型ディスプレイ装置１００’を実現することができる。一方、ここで、４×１配列の大型ディスプレイ装置は一実施形態に過ぎず、大型ディスプレイ装置の配列形状及び数は多様に変形されてよい。
【００４４】
一方、ディスプレイ装置１００は、複数のＬＥＤを駆動することで多様な映像を表示することができる。
【００４５】
具体的に、ディスプレイ装置１００は、外部装置（図示せず）から映像信号が受信されると、各ＬＥＤディスプレイモジュール１２０−１、１２０−２、１２０−３の位置に対応する映像信号を生成することができる。
【００４６】
そして、ディスプレイ装置１００は、複数のディスプレイモジュール１２０−１、１２０−２、１２０−３のそれぞれに、その位置に対応する映像信号を伝送することができる。
【００４７】
その後、ＬＥＤディスプレイモジュールのそれぞれは、受信した映像信号に対応するようにＬＥＤを駆動（例えば、オン（Ｏｎ）、オフ（Ｏｆｆ）または点滅（Ｆｒｉｃｋｅｒｉｎｇ）など）させ、それにより、ディスプレイ装置１００は、ＬＥＤディスプレイモジュールを通じて多様な映像を表示することができる。
【００４８】
図２は、本発明の一実施形態に係る電子装置を説明するためのブロック図である。図２を参照すると、本発明の一実施形態に係る電子装置２００は、インターフェース２１０及びプロセッサ２２０を含む。以下、説明の便宜のために、図３及び図4を参照して説明する。
【００４９】
インターフェース２１０は、モジューラディスプレイ装置１００に接続されてよい。ここで、モジューラディスプレイ装置１００は、複数のディスプレイモジュール２１０−１、２１０−２、２１０−３を物理的に接続したディスプレイ装置であってよい。
【００５０】
インターフェース２１０は、ポートを通じてモジューラディスプレイ装置１００に接続されてよい。具体的に、インターフェース２１０は、ポートに接続されたケーブルを通じてモジューラディスプレイ装置１００に接続されてよい。ここで、ケーブルは、ＨＤＭＩ（登録商標（Ｈｉｇｈ  Ｄｅｆｉｎｉｔｉｏｎ  Ｍｕｌｔｉｍｅｄｉａ  Ｉｎｔｅｒｆａｃｅ））ケーブルであってよい。
【００５１】
ただ、それは一実施形態に過ぎず、ケーブルはＤＶＩ（Ｄｉｇｉｔａｌ  Ｖｉｓｕａｌ  Ｉｎｔｅｒｆａｃｅ）ケーブル、ＬＶＤＳ（Ｌｏｗ  Ｖｏｌｔａｇｅ  Ｄｉｆｆｅｒｅｎｔｉａｌ  Ｓｉｇｎａｌｓ）ケーブルであってよい。なお、ケーブルは、光ケーブルであってよい。
【００５２】
なお、インターフェース２１０は、無線通信を通じてモジューラディスプレイ装置１００に接続されてよい。この場合、インターフェース２１０は、Ｗｉ−Ｆｉチップ、ブルートゥース（登録商標）チップまたは無線通信値プなどを含んでよい。
【００５３】
一方、モジューラディスプレイ装置１００は、複数のディスプレイ装置１００、１００−１、１００−２、１００−３が結合されたビデオウォールのような大型ディスプレイ装置１００’で実現されてよい。
【００５４】
この場合、インターフェース２１０は、複数のポートのそれぞれを通じてモジューラディスプレイ装置１００に接続されてよい。
【００５５】
例えば、図３に示すように、複数のディスプレイ装置１００、１００−１、１００−２、１００−３が４×１で結合された場合、インターフェース２１０は複数のポートのそれぞれを通じて各ディスプレイ装置を接続されてよい。そのために、インターフェース２１０は、複数のディスプレイ装置１００、１００−１、１００−２、１００−３のそれぞれに接続され得る少なくとも４つ以上のポートを含んでよい。
【００５６】
即ち、インターフェース２１０は、第１ディスプレイ装置１００に接続される第１ポート、第２ディスプレイ装置１００−１に接続される第２ポート、第３ディスプレイ装置１００−２に接続される第３ポート及び第４ディスプレイ装置１００−３に接続される第４ポートを含んでよい。
【００５７】
一方、このようなポートの数は一実施形態に過ぎず、実施形態によってポートの数が増減される。
【００５８】
プロセッサ２２０は、電子装置２００の動作全般を制御する。そのために、プロセッサ２２０は、中央処理装置（ｃｅｎｔｒａｌ  ｐｒｏｃｅｓｓｉｎｇ  ｕｎｉｔ：ＣＰＵ）、アプリケーションプロセッサ（Ａｐｐｌｉｃａｔｉｏｎ  Ｐｒｏｃｅｓｓｏｒ：ＡＰ）、またはコミュニケーションプロセッサ（Ｃｏｍｍｕｎｉｃａｔｉｏｎ  Ｐｒｏｃｅｓｓｏｒ：ＣＰ）のうち、一つまたはそれ以上を含んでよい。
【００５９】
プロセッサ２２０は、映像信号をインターフェース２１０を介してモジューラディスプレイ装置１００に伝送することができる。
【００６０】
具体的に、プロセッサ２２０は、外部装置（図示せず）から受信された映像信号または保存部（図示せず）に保存された映像をインターフェース２１０を介してモジューラディスプレイ装置１００に伝送することができる。ここで、外部装置（図示せず）は、サーバ、セットトップボックス、ＵＳＢ、パソコン、スマートフォンなどであってよい。
【００６１】
一方、上述のように、モジューラディスプレイ装置１００は、複数のディスプレイ装置１００、１００−１、１００−２、１００−３が結合されたビデオウォールのような大型ディスプレイ装置１００’で実現されてよい。
【００６２】
以下、説明の便宜上、モジューラディスプレイ装置１００は、複数のディスプレイ装置１００、１００−１、１００−２、１００−３が結合された大型ディスプレイ装置１００’であるとして説明する。
【００６３】
この場合、プロセッサ２２０は、モジューラディスプレイ装置１００に含まれた複数のディスプレイモジュールを垂直方向を基準に複数のグループに区分することができる。
【００６４】
具体的に、プロセッサ２２０は、モジューラディスプレい装置１００に接続されたポートの数に基づいて、複数のディスプレイモジュールを垂直方向を基準に複数のグループに区分することができる。
【００６５】
例えば、図３に示すように、第１ポートを通じて第１ディスプレイ装置１００が接続され、第２ポートを通じて第２ディスプレイ装置１００−１が接続され、第３ポートを通じて第３ディスプレイ装置１００−２が接続され、第４ポートを通じて第４ディスプレイ装置１００−３が接続された場合、プロセッサ２２０は複数のディスプレイモジュールを４つのグループに区分することができる。
【００６６】
ここで、第１グループは第１ディスプレイ装置１００に含まれた複数のディスプレイモジュールであり、第２グループは第２ディスプレイ装置１００−１に含まれた複数のディスプレイモジュールであり、第３グループは第３ディスプレイ装置１００−２に含まれた複数のディスプレイモジュールであり、第４グループは第４ディスプレイ装置１００−３に含まれた複数のディスプレイモジュールであってよい。
【００６７】
そして、プロセッサ２２０は、映像信号を複数のグループのそれぞれに対応する映像信号を分割することができる。ここで、分割された映像信号は、映像信号のイメージフレームを各グループの位置及び数に基づいて分割した信号を意味する。
【００６８】
例えば、４つのディスプレイ装置１００、１００−１、１００−２、１００−３が、図３に示すように、左から右に接続されてモジューラディスプレイ装置１００’で実現された場合、プロセッサ２２０は映像信号のイメージフレームを左から右に４等分することができる。
【００６９】
このとき、プロセッサ２２０は、複数のグループのそれぞれのサイズに基づいて映像信号のイメージフレームを分割することができる。
【００７０】
例えば、各ディスプレイ装置１００、１００−１、１００−２、１００−３の大きさが横１ｍで縦２ｍである場合、プロセッサ２２０は、映像信号のイメージフレームを横及び縦の割合が１：２である４つのイメージフレームに分割することができる。
【００７１】
その後、プロセッサ２２０は、分割された映像信号を複数のポートのそれぞれを通じて複数のグループのそれぞれに伝送することができる。
【００７２】
具体的に、プロセッサ２２０は、複数のグループのそれぞれに対応する分割された映像信号を行単位でエンコーディングし、行単位でエンコーディングされた映像信号を複数のグループのそれぞれに順次に伝送することができる。
【００７３】
例えば、図４に示すように、プロセッサ２２０は、行単位でエンコーディングされた映像信号を複数のグループのそれぞれに順次に伝送することができる。
【００７４】
それに関連するモジューラディスプレイ装置１００の信号処理過程は、図５を参照して詳細に説明する。
【００７５】
一方、ここで分割された映像信号の帯域幅は、インターフェース２１０のチャネル帯域幅に対応してよい。
【００７６】
具体的に、分割前の映像信号の帯域幅は第１チャネル帯域幅であり、インターフェースのチャネル帯域幅は第１チャネル帯域幅より小さい第２チャネル帯域幅である場合、プロセッサ２２０は第１チャネル帯域幅に対応する映像信号を第２チャネル帯域幅に対応するように分割することができる。
【００７７】
このように、映像信号をインターフェース２１０のチャネル帯域幅に対応するように分割することで、本発明の一実施形態に係る電子装置２００は低仕様のインターフェースを通じても、高画質の映像を提供することができる効果がある。
【００７８】
具体的に、従来の電子装置は、インターフェースのチャネル帯域幅より大きい帯域幅の映像信号が受信される場合、帯域幅の差により高画質の映像信号を処理することができないという問題があった。
【００７９】
その一方で、本発明の一実施形態に係る電子装置２００は、映像信号をインターフェース２１０のチャネル帯域幅に対応するように分割することで、高画質の映像信号をモジューラディスプレイ装置の各グループに伝送することができ、それにより、画質が低下することなく、高画質の映像をユーザに提供することができる。
【００８０】
一方、プロセッサ２２０は、上述の分割された映像信号に垂直同期化（Ｖ−ｓｙｎｃ）を行い、垂直同期化された映像信号を複数のグループのそれぞれに伝送することができる。
【００８１】
具体的に、プロセッサ２２０は、複数のグループのそれぞれが受信された映像信号に対応する映像を表示するうえで、同じタイミングで同一映像フレームを表示することができるように分割された映像信号のそれぞれに垂直同期化を行い、垂直同期化された映像信号を複数のグループのそれぞれに伝送することができる。
【００８２】
一方、プロセッサ２２０は、複数のグループのそれぞれに対応する映像信号の画質に対する情報を含むメタデータをそれぞれ生成することができる。即ち、プロセッサ２２０は、各グループ別に画質に対する情報を含むメタデータを生成することができる。
【００８３】
ここで、複数のグループのそれぞれに対応する映像信号の画質は、分割前の映像信号の画質と同じであってよい。
【００８４】
例えば、分割前の映像信号の画質が８ｋである場合、分割後の映像信号の画質も８ｋであってよい。
【００８５】
そのために、プロセッサ２２０は、分割前の映像信号に含まれた画質に対する情報に基づいて、分割前の映像信号の画質を確認することができる。そして、プロセッサ２２０は、分割前の映像信号の画質と同じ画質に対する情報を含むメタデータを各グループ別に生成することができる。
【００８６】
その後、プロセッサ２２０は、それぞれのメタデータを分割された映像信号とともに複数のグループのそれぞれに伝送することができる。
【００８７】
それにより、モジューラディスプレイ装置１００は、画質に対する情報を含むメタデータによって、ディスプレイモジュールに含まれたＬＥＤを駆動することができる。
【００８８】
具体的に、モジューラディスプレイ装置１００は、ディスプレイモジュールに含まれたＬＥＤを駆動するうえで、画質に対する情報を含むメタデータによって、レッドＬＥＤ、グリーンＬＥＤ及びブルーＬＥＤのそれぞれの輝度を調整して映像をディスプレイすることができる。上述の実施形態のように、分割前の映像信号の画質が８ｋである場合、モジューラディスプレイ装置１００によってディスプレイされる映像の画質も８ｋであってよい。
【００８９】
図５は、本発明の一実施形態に係るモジューラディスプレイ装置の信号処理方法を説明するための図である。
【００９０】
電子装置２００の複数のポートのそれぞれは、複数のグループのそれぞれに属するディスプレイモジュールのうち、外郭に位置するディスプレイモジュールのそれぞれに接続されてよい。
【００９１】
例えば、図５を参照すると、複数のポートのそれぞれは、複数のグループのそれぞれに属するディスプレイモジュールのうち、下段に位置するディスプレイモジュールのそれぞれに接続されてよい。
【００９２】
それにより、プロセッサ２２０は、複数のポートのそれぞれを通じて、分割された映像信号を各グループに属する複数のディスプレイモジュールのうち、下段に位置するディスプレイモジュールのそれぞれに伝送することができる。
【００９３】
この場合、下段に位置するディスプレイモジュールのそれぞれは、電子装置２００から受信された分割された映像信号を上側に位置するディスプレイモジュールに伝送することができる。
【００９４】
具体的に、各グループに含まれた複数のディスプレイモジュールは、相互間デイジーチェーン（ｄａｉｓｙ−ｃｈａｉｎ）方式で接続され、下側に位置するディスプレイモジュールは上側に位置するディスプレイモジュールに分割された映像信号を伝送することができる。
【００９５】
このような方式で、最上側に位置するディスプレイモジュールに分割された映像信号を伝送されると、最上側に位置するディスプレイモジュールはタイミングコントローラ（Ｔ−ＣＯＮ）を通じて受信された映像信号をデコーディングして映像を再生することができる。
【００９６】
続いて、最上側に位置するディスプレイモジュールの下段に位置するディスプレイモジュールも、同じ方式で分割された映像信号が伝送されると、タイミングコントローラ（Ｔ−ＣＯＮ）を通じて受信された映像信号をデコーディングして映像を再生することができる。
【００９７】
一方、このような信号処理は、複数のグループのそれぞれで同時に進められてよい。即ち、従来のディスプレイ装置がディスプレイ装置の上段左から上段右までを一つのラインとして映像信号を処理するのと違って、本発明の一実施形態に係るモジューラディスプレイ装置１００は、電子装置２００から分割された映像信号を受信することで、複数のグループのそれぞれは、同時に受信された映像信号をデコーディングして映像を再生することができる。
【００９８】
図６は、本発明の一実施形態に係るモジューラディスプレイ装置に新たなディスプレイ装置が接続された場合に電子装置の動作を説明するための図である。
【００９９】
上述のように、本発明の一実施形態に係るディスプレイ装置１００は、別のディスプレイ装置と結合され得る複数の結合部１３０−１、１３０−２を含んでよい。
【０１００】
それにより、本発明の一実施形態に係るディスプレイ装置１００は、別のディスプレイ装置との結合を通じ、大型ディスプレイ装置で実現されてよい。
【０１０１】
一方、図６に示すように、モジューラディスプレイ装置１００に新たなディスプレイ装置１００−４が結合された場合、電子装置２００は新たに接続されたディスプレイ装置１００−４を更に考慮して映像信号を分割することができる。
【０１０２】
具体的に、プロセッサ２２０は、複数のポートのうち少なくとも一つに新たなディスプレイ装置が結合される場合、新たに結合されたディスプレイ装置を新たなグループに確認することができる。
【０１０３】
そして、プロセッサ２２０は、新たに結合されたグループをより考慮して映像信号を分割することができる。
【０１０４】
例えば、図６を参照すると、プロセッサ２２０は新たなグループが電子装置２００のポートを通じて接続される場合、４等分に分割していた映像信号を５等分に分割して複数のグループのそれぞれに伝送することができる。
【０１０５】
このように、新たなディスプレイ装置を電子装置２００のポートに接続さえすれば、映像信号をグループの数に対応するように分割することで、本発明の一実施形態に係る電子装置２００はスクリーンの大きさを容易に拡張することができる。
【０１０６】
図７は、本発明の一実施形態に係る電子装置の動作を説明するためのフローチャートである。
【０１０７】
本発明の一実施形態に係る電子装置は、モジューラディスプレイ装置に映像信号を伝送することができる。
【０１０８】
そのために、電子装置は、まずモジューラディスプレイ装置に含まれた複数のディスプレイモジュールを垂直方向を基準に複数のグループに区分（Ｓ７１０）することができる。
【０１０９】
具体的に、電子装置は、モジューラディスプレイ装置に接続された複数のポートの数に基づいて、複数のディスプレイモジュールを前記複数のグループに区分することができる。
【０１１０】
そして、電子装置は、映像信号を複数のグループのそれぞれに対応する映像信号に分割（Ｓ７２０）することができる。
【０１１１】
具体的に、電子装置は、映像信号を複数のポートの数に対応するように分割することができる。
【０１１２】
そして、電子装置は、分割された映像信号を複数のグループのそれぞれに伝送（Ｓ７３０）することができる。
【０１１３】
それにより、モジューラディスプレイ装置は、垂直方向に分割された映像信号を受信し、受信された映像信号を用いて映像を表示することができる。
【０１１４】
一方、本発明に係る電子装置の制御方法を順次に行うプログラムが保存された非一時的な読み取り可能な媒体（ｎｏｎ−ｔｒａｎｓｉｔｏｒｙ  ｃｏｍｐｕｔｅｒ  ｒｅａｄａｂｌｅ  ｍｅｄｉｕｍ）が提供されてよい。
【０１１５】
非一時的な読み取り可能な媒体とは、レジスタやキャッシュ、メモリ等のような短い間データを保存する媒体ではなく、半永久的にデータを保存し、機器によって読み取り（Ｒｅａｄｉｎｇ）が可能な媒体を意味する。具体的には、上述の多様なアプリケーションまたはプログラムは、ＣＤやＤＶＤ、ハードディスク、ブルーレイディスク、ＵＳＢ、メモリカード、ＲＯＭ等のような非一時的な読み取り可能な媒体に保存されて提供されてよい。
【０１１６】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【図１Ａ】
2019219657.tif 000003
【図１Ｂ】
2019219657.tif 000004
【図１Ｃ】
2019219657.tif 000005
【図２】
2019219657.tif 000006
【図３】
2019219657.tif 000007
【図４】
2019219657.tif 000008
【図５】
2019219657.tif 000009
【図６】
2019219657.tif 000010
【図７】
2019219657.tif 000011